(57)【要約】【課題】  生体情報を検知するのが容易であり、さらに面倒な操作が不要でリラックスした状態での正確な生体情報を検知でき、しかも生体情報を検知する必要の無い場合にはセンサーが不用意に作動しないマッサージ機を提供する。【解決手段】  椅子本体１の座部２の両側に設けた一対の肘掛け部７のそれぞれの先端部には、使用者の掌または指の腹が接触することにより、その使用者の皮膚温度、心拍数、血圧などの生体情報を検知するセンサー８を配置したものとしている。そして、椅子本体１の座部２と背もたれ部３に電位治療器４を組み込んだものとしている。さらに、前記センサー８は、一対の肘掛け部７のそれぞれの先端部に配置したセンサー８の両方に、使用者の両手の掌または指の腹がそれぞれ接触したときに作動するようにしている。【選択図】    図１
2005046382.tif 000002
【特許請求の範囲】
【請求項１】
椅子本体（１）の座部（２）の両側に設けた一対の肘掛け部（７）のそれぞれの先端部に、使用者の掌または指の腹が接触することにより、その使用者の皮膚温度、心拍数、血圧などの生体情報を検知するセンサー（８）を配置したことを特徴とするマッサージ機。
【請求項２】
前記椅子本体（１）の座部（２）と背もたれ部（３）に電位治療器（４）を組み込んだものとしたことを特徴とする請求項１記載のマッサージ機。
【請求項３】
前記センサー（８）が、一対の肘掛け部（７）のそれぞれの先端部に配置したセンサー（８）の両方に、使用者の両手の掌または指の腹がそれぞれ接触したときに作動するようにしたことを特徴とする請求項１記載のマッサージ機。
【発明の詳細な説明】
【技術分野】
【０００１】
この発明は、使用者の生体情報を検知し、その生体情報に基づいてマッサージの方法を決定したり、強弱などを調節することのできるマッサージ機に関するものである。
【背景技術】
【０００２】
従来のこの種のマッサージ機には、使用者の皮膚温度、心拍数、血圧など複数の生体情報を検知する機能を搭載し、これらの生体情報を検知し、その変化パターンに基づいてマッサージ方法を決定する制御手段を設けたものが存在する。
【０００３】
すなわち、マッサージ機にリモ−トコントロールを設け、このリモートコントロールを使用者が操作するときに、使用者の手と接触するリモートコントロールの位置に、生体情報を検知するセンサーを設けたものとしている。具体的な構造としては、図６に示すように、マッサージ機本体２１の肘掛け部２２に、開閉可能な蓋２３ａを有したリモコン収納部２３を形成し、このリモコン収納部２３に図７〜９示すようなリモコン器２４を収納している。このリモコン器２４の上面には各種スイッチ類２４ａを設け、下面には使用者の指を挿入する指挿入部２５を設けている。この指挿入部２５に使用者の指を挿入したときに使用者の生体情報を検知するセンサー２６を配置している。
【０００４】
また、マッサージ機に使用者の足を載せる足載せ部を有する足載せ台を設け、使用者の足と接触する足載せ部の位置に、生体情報を検知するセンサーを設けたものとしている。具体的な構造としては、図１０に示すように、足載せ台２７の上面に足載せ部２８を形成し、足との接触面から使用者の皮膚温度、心拍数を検知するセンサー２９を、足を載せたときに足の裏面に位置するように前記足載せ部２８に配置している。
【特許文献１】特開２００１−１９０６１６号公報（第２、３頁、図１〜４、図７）
【発明の開示】
【発明が解決しようとする課題】
【０００５】
しかしながら、上記従来のマッサージ機において、生体情報を検知するセンサー２６をリモコン器２４の下面の指挿入部２５に配置したものでは、生体情報を検知する場合に、使用者がわざわざリモコン器２４を持ち上げて指挿入部２５に指を挿入しなければならず、生体情報を検知するのが面倒であり、しかも面倒な操作によってリラックスした状態での正確な生体情報を検知できない場合があるという問題点を有していた。
【０００６】
また、上記従来のマッサージ機において、生体情報を検知するセンサー２９を足載せ台２７の上面に形成した足載せ部２８に配置したものでは、生体情報を検知する場合に、使用者がわざわざ履物や靴下などを脱いで足載せ台２７の足載せ部２８に足を載せなければならず、生体情報を検知するのが面倒であり、しかも面倒な操作によってリラックスした状態での正確な生体情報を検知できない場合があるという問題点を有していた。
【０００７】
さらに、上記従来のマッサージ機は、生体情報を検知する意思がなくても、使用者がリモコン器２４の指挿入部２５に指を挿入したり、足載せ台２７の足載せ部２８に足を載せた場合には、センサーが作動してしまい、生体情報を検知する必要の無い場合にも生体情報が検知されてしまうことがあるという問題点を有していた。
【０００８】
そこで、この発明は、上記従来の問題点を解決することをその課題としており、生体情報を検知するのが容易であり、さらに面倒な操作が不要でリラックスした状態での正確な生体情報を検知でき、しかも生体情報を検知する必要の無い場合にはセンサーが不用意に作動しないマッサージ機を提供することを目的としてなされたものである。
【課題を解決するための手段】
【０００９】
そのため、この発明のマッサージ機は、椅子本体１の座部２の両側に設けた一対の肘掛け部７のそれぞれの先端部に、使用者の掌または指の腹が接触することにより、その使用者の皮膚温度、心拍数、血圧などの生体情報を検知するセンサー８を配置したものとしている。
【００１０】
そして、この発明のマッサージ機は、椅子本体１の座部２と背もたれ部３に電位治療器４を組み込んだものとしている。
【００１１】
さらに、この発明のマッサージ機は、センサー８が、一対の肘掛け部７のそれぞれの先端部に配置したセンサー８の両方に、使用者の両手の掌または指の腹がそれぞれ接触したときに作動するようにしている。
【発明の効果】
【００１２】
この発明のマッサージ機は、以上に述べたように構成されているので、生体情報を検知するのが容易であり、さらに面倒な操作が不要でリラックスした状態での正確な生体情報を検知でき、しかも生体情報を検知する必要の無い場合にはセンサーが不用意に作動しないものとなる。
【発明を実施するための最良の形態】
【００１３】
以下、この発明のマッサージ機を実施するための最良の形態について、図面に基づいて詳細に説明する。
【００１４】
図１はこの発明のマッサージ機の全体を示しており、図２はこの発明のマッサージ機に使用者が腰掛けた状態を示しており、図３はこの発明のマッサージ機に使用者が腰掛けてリモコンを操作している状態を示している。
【００１５】
図において、この発明のマッサージ機は、椅子本体１の座部２と背もたれ部３に電位治療器４を組み込んだものとしている。さらに、座部２には、図示していないが複数のマッサージ用空気袋を配置したり、背もたれ部３には、マッサージ用の揉み球５や、図示していないが複数のマッサージ用の空気袋を配置したものとすることができる。また、座部２の前端に取り付けた跳ね上げ式のオットマン６にも、図示していないが複数のマッサージ用の空気袋を配置したものとすることができる。
【００１６】
そして、前記座部２の両側に設けた一対の肘掛け部７のそれぞれの先端部（好ましくは先端部の上面側）には、使用者の掌または指の腹が接触することにより、その使用者の皮膚温度、心拍数、血圧などの生体情報を検知するセンサー８を配置したものとしている。前記センサー８は、一対の肘掛け部７のそれぞれの先端部に配置したセンサー８の両方に、使用者の両手の掌または指の腹がそれぞれ接触したときに作動するようにしている。また、前記生体情報は、使用者の両手の掌または指の腹から検知するようにしている。なお、図１、２中の９は、前記センサー８と後に述べる制御装置１０を接続する電線を示している。
【００１７】
さらに、前記肘掛け部７の一方の下方には、リモコン収納部（図示せず）が設けられており、このリモコン収納部には、図４に示すようなリモコン器１１が収納されている。このリモコン器１１の上面には、生体情報表示部１２や、電源スイッチ１３、電位治療用スイッチ１４、マッサージポイントやコースの設定ボタン１５などが設けられている。
【００１８】
前記制御装置１０はマイクロプロセッサなどからなり、この制御装置１０にはセンサー８で検知した生体情報が送られると共に、リモコン器１１による操作情報が送られる。そして、制御装置１０は、マッサージの各種設定コースの動作手順や、センサー８で検知した生体情報に応じた電位治療器４の出力電圧値を記憶した記憶部（図示せず）を有している。
【００１９】
前記リモコン器１１は、設定ボタン１５のボタン操作により  首・肩、腰部、背筋などの各種マッサージポイントの設定、全身マッサージなどの設定が行われ、電位治療用スイッチ１４の操作により、センサー８で検知した生体情報に応じた電位が付与される。
【００２０】
そこで、このように構成されたこの発明のマッサージ機を使用するには、次のようにして行う。
【００２１】
先ず、使用者が椅子本体１の座部２にゆっくりと腰掛け、リモコン器１１の電源スイッチ１３を押してから、肘掛け部７に肘を掛ける。すると、図２に示したように、使用者の両手は自然と一対の肘掛け部７のそれぞれの先端部に位置することになる。そして、この状態で使用者が、一対の肘掛け部７のそれぞれの先端部に配置したセンサー８に、両手の掌または指の腹を接触させる。この状態でセンサー８が作動し、使用者が椅子本体１の座部２にリラックスした状態で腰掛けている間に、その使用者の皮膚温度、心拍数、血圧などの生体情報が検知される。これら生体情報は、使用者の両手の掌または指の腹から検知するようにしているので、使用者の片手の掌または指の腹から検知するより正確な生体情報を得ることができる。なお、この場合、椅子本体１の座部２と背もたれ部３に、圧力センサーなどの体形検出のためのセンサー（図示せず）を備えたものとすれば、使用者が椅子本体１の座部２にゆっくりと腰掛け、背もたれ３部にもたれ掛かった状態で、使用者の体形検出を同時に行うことができる。
【００２２】
次に、使用者は、図３に示したように、リモコン収納部からリモコン器１１を取り出して手に持ち、設定ボタン１５のボタン操作により、マッサージポイントやコースなどの設定を行う。このとき使用者は、リモコン器１１の生体情報表示部１２に表示された生体情報を見ることにより、その日の体調を確認することができる。そして、使用者は、その日の体調に応じたマッサージ治療を行ったり、電位治療を行うことができる。
【００２３】
前記マッサージ治療や電位治療の手順を、図５に示した系統図で説明すると、使用者は、（１）スタートＳから出力電圧測定Ｆ１、電位治療開始Ｆ２、そして終了Ｆ６と進む手順、（２）スタートＳから出力電圧測定Ｆ１、電位治療開始Ｆ２、コース選択Ｆ４、マッサージ作動Ｆ５、そして終了Ｆ６と進む手順、（３）スタートＳから体形検出２、出力電圧測定Ｆ１、電位治療開始Ｆ２、コース選択Ｆ４、マッサージ作動Ｆ５、そして終了Ｆ６と進む手順、（４）スタートＳから体形検出Ｆ３、コース選択Ｆ４、マッサージ作動Ｆ５、そして終了Ｆ６と進む手順、の各手順を選択することができる。
【００２４】
したがって、この発明のマッサージ機は、使用者が椅子本体１の座部２にゆっくりと腰掛け、肘掛け部７に肘を掛けた状態で、皮膚温度、心拍数、血圧などの生体情報が検知されることになるので、使用者がリラックスした状態での正確な生体情報を検知できることになる。
【００２５】
さらに、この発明のマッサージ機は、一対の肘掛け部７のそれぞれの先端部に配置したセンサー８に、使用者の両手の掌または指の腹を接触させた状態でセンサー７が作動するので、片方の肘掛け部７の先端部に配置したセンサー８に、使用者が何気なしに片手の掌または指の腹を接触させてもセンサー８が作動することはなく、生体情報を検知する必要の無い場合には、センサー８が不用意に作動しないものとなる。
【図面の簡単な説明】
【００２６】
【図１】この発明のマッサージ機の実施形態を示す全体斜視図である。
【図２】図１に示すこの発明のマッサージ機に使用者が腰掛けた状態を示す側面図である。
【図３】図１に示すこの発明のマッサージ機に使用者が腰掛けてリモコンを操作している状態を示す斜視図である。
【図４】この発明のマッサージ機のリモコン器の正面図である。
【図５】この発明のマッサージ機のマッサージ治療や電位治療の手順を示す系統図である。
【図６】従来のマッサージ機を示す全体斜視図である。
【図７】従来のマッサージ機のリモコン器の斜視図である。
【図８】従来のマッサージ機のリモコン器の側面図である。
【図９】従来のマッサージ機のリモコン器の指挿入部に指を挿入している状態を示す背面図である。
【図１０】従来のマッサージ機の足載せ台の足載せ部に足を載せている状態を示す斜視図である。
【符号の説明】
【００２７】
１  椅子本体
２  座部
３  背もたれ部
４  電位治療器
７  肘掛け部
８  センサー
【図１】
2005046382.tif 000003
【図２】
2005046382.tif 000004
【図３】
2005046382.tif 000005
【図４】
2005046382.tif 000006
【図５】
2005046382.tif 000007
【図６】
2005046382.tif 000008
【図７】
2005046382.tif 000009
【図８】
2005046382.tif 000010
【図９】
2005046382.tif 000011
【図１０】
2005046382.tif 000012